(57)【要約】【課題】避難生活を送る住民のプライバシーを確保することが可能な、軽量で簡易に組立及び解体作業を行うことのできる襖材を利用した間仕切りを提供することを課題とする。【解決手段】間仕切り１は、平板矩形状の一対の襖材及び一対の襖材を互いに回動自在に連結するヒンジ部１２を有する襖材パネル２と、八枚の襖材パネル２を立設させた状態で、互いに隣接する襖材パネル２の襖材同士をそれぞれ接続する凹状接続部４及び固定部５を有するパネル接続部３と、襖材パネル２の立設を支持する襖材支持部６と、直交パネル２ｂの上辺部１３に架渡して取設され、立設状態を安定させる補強部７とを主に具備する。【選択図】図１
0003160693.tif 000002
【実用新案登録請求の範囲】
【請求項１】
平板矩形状の一対の襖材及び一対の前記襖材を互いに回動自在に連結するヒンジ部を有する襖材パネルと、
複数の前記襖材パネルを立設させた状態で互いに隣接する前記襖材パネルの前記襖材同士をそれぞれ接続するパネル接続部と
を具備することを特徴とする襖材を利用した間仕切り。
【請求項２】
前記パネル接続部は、
断面コの字形状を有し、互いに隣接する前記襖材のそれぞれの上辺部に上方から被せるようにして嵌合される凹状接続部と、
前記凹状接続部を前記襖材に固定する固定部と
をさらに具備することを特徴とする請求項１に記載の襖材を利用した間仕切り。
【請求項３】
一対の前記襖材が前記ヒンジ部を回動軸として屈曲させた状態で立設した前記襖材パネルの前記襖材の互いの前記上辺部に架渡して取設される長棒状の補強部をさらに具備することを特徴とする請求項１または請求項２に記載の襖材を利用した間仕切り。
【請求項４】
複数の前記襖材パネルの少なくとも一つは、
一方の前記襖材が、隣接する前記襖材パネルの前記襖材と接続されることがなく、前記襖材の襖面を貫通する把持貫通孔が設けられていることを特徴とする請求項１乃至請求項３のいずれか一つに記載の襖材を利用した間仕切り。
【考案の詳細な説明】
【技術分野】
【０００１】
本考案は、襖材を利用した間仕切り（以下、単に「間仕切り」と称す）に関するものであり、特に、自然災害発生時の避難生活や各種イベント等に利用され、体育館等の広い床面積の室内を区画することが可能な間仕切りに関するものである。
【背景技術】
【０００２】
従来から、台風、地震、津波等による家屋の倒壊等の自然災害が発生又はそのおそれがあり、地域の住民の生命及び財産が危険に晒される可能性が高い場合、当該地域住民が自主的に、或いは各地方自治体による避難指示や避難勧告に基づいて、地域内の安全な避難場所に自宅等から避難することがある。
【０００３】
ここで、避難場所は、小中学校の体育館や地域の公民館等の公共施設が予め指定されており、当該公共施設のホールや体育館の床面にシートや布団を敷き、個人や世帯毎のスペースを確保し、睡眠や飲食等の日常的生活を送っている。このとき、シート等で区画された各世帯毎のスペースは、周囲の視線を遮るものがなく、常に他人の視線に晒される開放された状態にあることが多い。そのため、プライバシーが十分に保たれず、着替えや洗濯物を干す場合等に周囲の視線を意識することがあった。特に、避難生活が長期にわたる場合、避難生活による疲労とともに、精神的なストレスを強く感じることがあった。
【０００４】
さらに、避難生活は、乳幼児から高齢者に至る幅広い年齢層の人々が一箇所で過ごす集団生活であるため、起床時間や就寝時間の違い、個人の生活リズム等の違いから不満を感じたり、他人に対する気遣いから逆にストレスを感じる等の問題があった。そのため、上記問題を解消するために、パーティションや間仕切り等を各スペース毎に設け、プライバシーの確保や周囲の視線や生活リズムの違い等によって感じるストレスの軽減を図ることが行われている。
【０００５】
一方、上述した体育館等、各種展示やイベントを行う展示ホール、或いは商業施設の催事場等の広い床面積を有する施設では、イベントや展示会等の内容に応じ、パーティションや間仕切り等を用いて各スペースを区画することがある。
【考案の概要】
【考案が解決しようとする課題】
【０００６】
上記のパーティション等を利用して体育館等の床面を区画する場合、下記に掲げる問題点を生ずることがあった。すなわち、一般的に使用されるパーティション等の場合、各スペースを区画する板状部材（パネル）が主にスチール製や木製の素材で形成されていることが多く、重量物であるこれらの板状部材の搬送及び設置に多くの労力を要し、板状部材を床面に立設した状態で支持するための支持部材（支柱等）もある程度の強度を有するものが必要であった。さらに、これらを組立てる場合にも専門的な技術や特殊な工具等を必要とすることがあった。
【０００７】
そのため、避難場所まで搬送し、組立てを完了するまでに時間がかかることがあり、避難生活の開始直後からすぐにパーティション等を利用して区画することができないことがあった。加えて、避難生活やイベントの終了後、設置したパーティション等を撤去する場合にも解体作業に多くの労力と時間を要することがあった。
【０００８】
また、スチール製や木製のパネルを有するパーティションは高価な場合もあり、避難生活を送る各世帯毎に行き渡るための十分な数量を確保することが困難な場合もあった。このような場合、一部の世帯等に提供することは、避難住民に不公平さを感じさせることがあり、これらのパーティションの使用しないこともあった。さらに、一般的なパーティションによって区画可能なスペースは、パネルのサイズによって予め決まっているため、例えば、世帯毎の構成人数（夫婦２人のみ、或いは夫婦２人と子供２人等）の違いによって、区画スペースの面積を柔軟に変更することができない場合があった。
【０００９】
さらに、地震等の自然災害により避難生活を送っている場合、当該避難生活中に本震や余震が発生することがあり、床面に立設されたパーティション等が倒れる可能性があった。そのため、スチール製や木製等の重量物から構成されるパーティション等が倒れ、避難住民が怪我をする危険性があった。また、折畳み等ができないため、パーティション等の保管場所が多く必要になる等の種々の問題があった。
【００１０】
そこで、本考案は、上記実情に鑑み、避難生活を送る住民のプライバシーを確保し、軽量及び簡易に設置可能な襖材を利用した間仕切りを提供することを課題とする。
【課題を解決するための手段】
【００１１】
本考案の間仕切りは、「平板矩形状の一対の襖材及び一対の前記襖材を互いに回動自在に連結するヒンジ部を有する襖材パネルと、複数の前記襖材パネルを立設させた状態で互いに隣接する前記襖材パネルの前記襖材同士をそれぞれ接続するパネル接続部と」を具備するものから主に構成されている。
【００１２】
ここで、襖材（襖）とは、平板矩形状を呈し、日本家屋の各部屋を区画する建具であり、木製の外枠及び外枠の表裏面に和紙や布等を張設して形成されるものである。さらに、外枠の内側に縦横に配された桟を備えているものもある。ここで、襖材の内部は、張設された和紙の間に空間（空気層）を有している。そのため、和紙等及び木材の使用によって、襖材全体は軽量性の特徴を有し、内部の空気層による断熱性・保温性、及び木材、和紙を利用したことによる吸水性等の優れた効果を有し、日本家屋の和室を快適な空間にすることのできる優れた建具である。そして、係る襖材が間仕切りを構成する主部材として使用される。
【００１３】
ここで、一対の襖材が、互いの襖面の間の角度を変化させることにできるように屈曲させるヒンジ部（ちょうつがい）によって連結され、襖材パネルと構成される。このとき、襖材パネルは、平板矩形状の一対の襖材の長手方向の一辺（縦辺部）同士を近接させ、ヒンジ部を利用して数カ所（例えば、二箇所）で連結されている。これにより、それぞれの襖材の襖面が同一平面上に位置するように一致させた展開状態（襖面の間の角度が１８０°）、及び襖面同士が近接した折畳状態（襖面の間の角度が０°）の間で変位させることが可能となる。さらに、襖材パネルの襖面の角度を上記０°から１８０°の間で変位させ、ヒンジ部を回動軸として屈曲させることにより（例えば、９０°）、襖材パネルは設置面に対して自立することができる。
【００１４】
一方、パネル接続部とは、上述した複数の襖材パネルを接続して間仕切りを構築するためのものであり、例えば、襖材同士を接続する連結金具或いはボルト及びナット等の周知の固定手段をそれぞれ利用することができる。なお、上述したヒンジ部で回動自在に連結された襖材パネルを複数組合わせることで、使用する襖材パネルの数量及び接続箇所を変化させ、形成可能な間仕切り空間の広さ及び区画するスペースの形状を変化させることができる。一例を示すと、八枚の襖材パネルを利用した場合、互いの襖面の間の角度を９０°に設定した屈曲状態（直交状態）の四枚の襖材パネルと、襖面の間の角度を１８０°に設定した展開状態の四枚の襖材パネルとを準備し、屈曲状態の襖材パネルの間にそれぞれ展開状態の襖材パネルを挿入し、パネル接続部を利用して接続することで、上方視正四角形状の広い間仕切り空間を構築することが可能となる。これ以外にも、三角形状、五角形状、及び六角形状等の任意の多角形状の間仕切り空間の構築が可能となる。なお、襖材パネルの襖材の幅が、間仕切り空間の最挟の幅となるため、構築される間仕切り空間は必然的に多角形状となる。
【００１５】
したがって、本考案の間仕切りによれば、連結された軽量の襖材を有する襖材パネルを複数利用し、展開状態及び屈曲状態（例えば、直交状態等）の襖材パネルを組合わせて接続することにより、多角形状の間仕切り空間を容易に形成することが可能となる。さらに、間仕切りとして使用しない場合は、襖面同士を近接するように折畳んだ折畳状態としてコンパクトにて保管することが可能となる。
【００１６】
さらに、本考案に係る間仕切りは、上記構成に加え、「前記パネル接続部は、断面コの字形状を有し、互いに隣接する前記襖材のそれぞれの上辺部に上方から被せるようにして嵌合される凹状接続部と、前記凹状接続部を前記襖材に固定する固定部と」を具備するものであっても構わない。
【００１７】
したがって、本考案の間仕切りによれば、凹状接続部及び固定部を有するパネル接続部を利用して襖材パネルの襖材同士の接続が行われる。ここで、襖材パネルの襖材は、平板矩形状として構成されるため、所定の厚さ（襖材厚さ）を有している。そして、当該襖材厚さに略一致する凹幅を有する断面コの字形状の凹状接続部を利用し、襖材の上辺部に上方から被せるようにして装着（嵌合）される。これにより、互いに隣接する襖材のそれぞれの上辺部の上に凹状接続部が載置される。その結果、当該箇所のそれぞれの襖材の襖面の相対角度が１８０°に規制されることになる。すなわち、二枚の襖材が襖面を同一平面上に位置した状態で固定される。さらにボルト等の周知の固定手段からなる固定部によって当該状態が強固に固定される。その結果、襖材の接続状態が安定したものとなる。
【００１８】
さらに、本考案に係る間仕切りは、上記構成に加え、「一対の前記襖材が前記ヒンジ部を回動軸として屈曲させた状態で立設した前記襖材パネルの前記襖材の互いの前記上辺部に架渡して取設される長棒状の補強部を」さらに具備するものであっても構わない。
【００１９】
したがって、本考案の間仕切りによれば、長棒状の補強部が、屈曲状態（例えば、直交状態）の襖材パネルの一対の襖材の互いの上辺部の間に架渡すように取設される。これにより、補強部の取設された襖材パネルは、それ襖面の屈曲が規制され、襖面の間の角度が一定に保持される。その結果、襖材パネルの強度が強くなり、形成される間仕切りの強度も向上する。ここで、襖材に対する補強部の取設は、ボルトやネジ等の周知の固定手段を利用することができる。さらに、補強部は、間仕切り空間の上方位置に設けられるため、係る補強部を利用して、ハンガー等を引っ掛けることができる。そのため、避難生活の際の洗濯物等をハンガーに干すことができる。係る間仕切り空間は、襖材等によって周囲の視線から遮断されているため、他人の視線に晒されることがなく、下着等の他人に見られると恥ずかしい洗濯物であってもストレスを感じることなく、干すことができる。
【００２０】
さらに、本考案に係る間仕切りは、上記構成に加え、「複数の前記襖材パネルの少なくとも一つは、一方の前記襖材が、隣接する前記襖材パネルの前記襖材と接続されることがなく、前記襖材の襖面を貫通する把持貫通孔が設けられている」ものであっても構わない。
【００２１】
したがって、本考案に係る間仕切りによれば、複数の襖材パネルのうちの少なくとも一つは、一方の襖材に襖面を貫通した把持穴が設けられている。ここで、複数の襖材パネルを利用し、上記のような間仕切り空間を有する間仕切りを構築した場合、パネル接続部ですべての隣接する襖材パネルを接続すると、間仕切り空間への侵入（入出）及び退出ができなくなる。そこで、把持パネルの少なくとも一つの襖材は、隣接する襖材パネルとの接続をせず、さらに襖面を貫通する把持貫通孔が設けられている。これにより、間仕切り空間に入室しようとする人は、当該把持貫通孔の部分に手を掛け、ヒンジ部を回動軸として把持貫通孔付きの襖材を回動させることにより、間仕切り空間を開放し、入室することが可能となる。すなわち、一部の襖材を扉部として機能させることが可能となる。なお、把持貫通孔は、襖材の縦辺部の中間位置程度の高さに設定されている。
【考案の効果】
【００２２】
本考案の間仕切りによれば、軽量性、断熱性、及び通気性に優れる襖材を主材料として使用することで、組立及び解体作業を容易にし、安全性の高い間仕切りを形成することができる。これにより、他人の視線から遮断されたプライバシーを確保した間仕切り空間が構築され、避難生活等におけるストレスを軽減することができる。さらに、従来のパーティション等に比べ、保管場所を省スペース化することができる。また、リユースも可能となる。
【図面の簡単な説明】
【００２３】
【図１】本実施形態の間仕切りの構成を示す斜視図である。
【図２】間仕切りの構成を示す正面図である。
【図３】間仕切りの構成を示す平面図である。
【図４】襖材パネルの構成を示す正面図である。
【図５】間仕切りのコーナー部分の構成を示す拡大平面図である。
【図６】パネル接続部の（ａ）凹状接続部及び（ｂ）固定部、及び（ｃ）襖材支持部の構成を示す説明図である。
【図７】補強部の構成及び補強部をハンガー掛けとして使用した一例を示す説明図である。
【考案を実施するための形態】
【００２４】
以下、本考案の一実施形態である間仕切り１について、図１乃至図７に基づいて説明する。ここで、図１は本実施形態の間仕切り１の構成を示す斜視図であり、図２は間仕切り１の構成を示す正面図であり、図３は間仕切り１の構成を示す平面図であり、図４は襖材パネル２の構成を示す正面図であり、図５は間仕切り１のコーナー部分の構成を示す拡大平面図であり、図６はパネル接続部３の（ａ）凹状接続部４、（ｂ）固定部５、及び（ｃ）襖材支持部６の構成を示す説明図であり、図７は補強部７の構成及び補強部７をハンガー掛けとして使用した一例を示す説明図である。
【００２５】
ここで、本実施形態の間仕切り１は、広い床面積を有する体育館の床面に設置され、地震等の自然災害の発生により、避難生活（集団生活）を行う避難住民のスペースを区画するために使用するもについて例示する。なお、体育館の床面に設置される間仕切り１は、上方から観察すると正四角形状（正方形状）を呈する間仕切り空間８を八枚の襖材パネル２を組合わせることによって構築したものについて例示する。なお、図１乃至図３、及び図５において、図示を簡略化するため、襖材パネル２同士を連結するために使用する蝶ボルト１９及び蝶ナット２０の図示を省略している。
【００２６】
本実施形態の間仕切り１は、図１乃至図７に示すように、一対の襖材１０を回動自在に連結して形成された八枚の襖材パネル２と、互いに隣接する襖材パネル２の襖材１０同士を接続可能な凹状接続部４及び固定部５からなる七個のパネル接続部３と、襖材パネル２の下辺部１１に嵌合され、接続された襖材１０の相対的な移動及び対向角度の変化を規制し、設置床面に襖材パネル２の立設状態を支持する七個の襖材支持部６と、襖材パネル２を互いの襖面１０ａを直交させた状態で保持し、間仕切り１の構造安定性を高める四本の補強部７とを具備して主に構成されている。
【００２７】
さらに、具体的に説明すると、襖材パネル２は、縦１６０ｃｍ、横９０ｃｍ、厚さ１．６ｃｍの平板矩形状の襖材１０を二枚利用して構成されている。ここで、襖材１０は、一般的な日本家屋に利用されるものと略同一の工程で製造されるものを利用することができ、木製の外枠、外枠内部に配された縦横の桟、及び、外枠及び桟の表裏面に張設される和紙によって構成されている。したがって、襖材１０自体は、非常に軽量、かつ断熱性及び通気性に優れた特性を有している。
【００２８】
ここで、一対の襖材１０を屈曲可能に連結するヒンジ部１２は、市販されている通常の蝶番（ちょうつがい）を使用することが可能であり、矩形状の襖材１０のそれぞれの縦辺部１０ｂ同士を互いに密着させるように並設し、ヒンジ部１２のそれぞれのヒンジ片１２ａを襖材１０に架渡すようにして襖材１０の縦辺部１０ｂの近傍に取設して形成されている（図４参照）。これにより、襖材パネル２は、互いの襖材１０の襖面１０ａが同一平面上に位置するように展開させた展開状態（展開パネル２ａ）及び襖面１０ａ同士を相対させるように折畳んだ折畳状態（図示しない）の間で所望の襖面１０ａの間の角度（襖面角度が０°から１８０°の間）で自由に屈曲させることができる。なお、本実施形態の間仕切り１は、八枚の襖材パネル２の内、襖面角度が１８０°に設定された展開パネル２ａと、襖面角度が９０°に設定された直交状態に直交パネル２ｂ（図１等参照）とをそれぞれ四枚ずつ使用して構築されている。
【００２９】
襖材パネル２の襖材１０は上辺部１３の一方の上辺側端部１４に後述するパネル接続部３と固定されるための固定孔１５が穿設されている。加えて、四枚の展開パネル２ａの一つは、襖材１０の襖面１０ａを貫通する貫通把持孔１６が縦辺部１０ｂの中間高さ位置に設けられている。ここで、貫通把持孔１６が設けられた襖材１０は、隣接する直交パネル２ｂの襖材１０とパネル接続部３を介して接続されていない。そのため、ヒンジ部１２を回動軸として他方の襖材１０に対して回動（開閉）することができる（図１、図３矢印参照）。その結果、貫通把持孔１６の設けられた襖材１０は、間仕切り空間８へ入退出を行うための扉部９としての機能を有することになる。なお、図１等に示すように、襖材パネル２のヒンジ部１２が設けられた面は、間仕切り１の内側に位置するように設定されている。しかしながら、上述した貫通把持孔１６を有する襖材パネル２のみ、ヒンジ部１２が間仕切り１の外側に位置するように設定される。これにより、扉部９を外側に開閉させることができる。
【００３０】
一方、パネル接続部３は、図６等に示されるように、金属製の素材によって形成され、断面コの字形状を呈し、襖材１０の上辺側端部１４に上方から被せるようにして嵌合することの可能な凹状接続部４と、凹状接続部４を襖材１０に固定するための固定部５とを具備して主に構成されている。さらに、具体的に説明すると、凹状接続部４は、一枚の板状部材を互い平行な折線に沿って二箇所曲折するように形成されたものであり、互いに対向する一対の側板部１７と、一対の側板部１７同士を連結する上板部１８とから構成されている。ここで、上板部１８の板幅は、上述した襖材１０の厚さ（約１．６ｃｍ）に一致するように形成されている。そのため、凹状接続部４を襖材１０の上方から上辺側端部１４に上板部１８の板面が当接するように被せると、上辺側端部１４の三方向が凹状接続部４によって囲まれた状態で嵌合される。また、側板部１７には、上述した襖材１０に設けられた固定孔１５の穿設位置に合致するように、挿通孔１７ａが長手方向の左右の二箇所に設けられている。
【００３１】
これにより、挿通孔１８及び固定孔１５の位置を合わせ、襖材１０に対して凹状接続部４を嵌合し、さらに蝶ボルト１９及び蝶ナット２０から構成される固定部５を利用することで、凹状接続部４によって一対の襖材１０同士を連結することができる。すなわち、蝶ボルト１９のボルト軸１９ａを位置合わせした固定孔１５及び挿通孔１７ａに通し、襖材１０の反対側の襖面１０ａから突出したボルト軸端１９ｂに蝶ナット２０を取付け、螺合させて締結することにより、蝶ボルト１９のボルト頭１９ｃ及び蝶ナット２０の間に襖材１０及び凹状接続部４が強固に固定されることになる。同様に、他方の襖材１０に対しても固定部５の取付けを開始することができる。その結果、互いの襖材１０は、襖面１０ａが同一平面上に位置するように展開して固定される。これにより、互いに襖材１０の相対的な距離及び角度が一定に規制され、変形することがない。その結果、構築された間仕切り１が安定した構造のものとなる。
【００３２】
一方、襖材支持部６の構成は、上記凹状接続部４と略同一の構成を有するため、ここでは詳細な説明は省略する。襖材支持部６は、襖材１０の下辺側端部２１に、凹状接続部４と同様に取付けられ、互いの襖材１０に対する相対的な移動を規制することができ、間仕切り１の構造安定性を図ることができるものである。なお、本実施形態の間仕切り１では、図６（ｃ）に示すように、挿入孔１７ａを有しない構成を採用し、襖材パネル２と強固に固定されないものとなっている。なお、襖材支持部６として、凹状接続部４をそのまま流用することも可能であり、この場合、襖材１０の下辺側端部２１に上述の固定孔１５を設け、固定部５で締結するものであっても構わない。
【００３３】
一方、補強部７は、襖面１０ａを直交するように屈曲させた直交パネル２ｂの夫々の襖材１０の上辺部１３を架渡すようにして固定されるものである。ここで、補強部７は、図３等に示されるように、長棒状を呈する金属製素材で形成されている。なお、補強部７の襖材１０の上辺部１３に対する固定は、ボルト及びねじ等の周知の固定手段を利用することができ、ここでは詳細な説明は省略するものとする。この補強部７を取付けることにより、直交パネル２ｂは、互いの襖面１０ａの間の角度を変化させることができなくなる。さらに、図７等に示すように、補強部７は、一方の上辺部１３から他方の上辺部１３に向かって約４５°の傾斜で取設されている。これにより、直交パネル２ｂを立設した状態の構造上の安定がさらに図られることになる。なお、補強部７は、図７等に示すように、間仕切り空間８の上方に取設されるため、当該補強部７の中央付近にハンガーＨ等を引っ掛けることにより、洗濯物を乾燥させるための棒として機能することもできる。特に、下着等を周囲の視線から遮った状態で乾燥させることができるため、避難住民がストレスを感じることがない。
【００３４】
次に、本実施形態の間仕切り１の簡易の組立ての一例について説明する。ここで、体育館等の設置場所には、組立前の襖材パネル２が互いの襖面１０ａが相対するように折畳まれた折畳状態で搬送されている。そして、折畳み状態の八枚の襖材パネル２の中から四枚を、襖面１０ａが同一平面上に位置する、襖面角度が１８０°になるように展開し、展開パネル２ａとする。一方、残りの四枚の襖材パネル２は、襖面１０ａが互いに直交するように、襖面角度が９０°になるようにヒンジ部１２を利用して屈曲させ、直交パネル２ｂとする。ここで、直交パネル２ｂは、設置床面に対し、縦辺部１０ｂが垂設するように自立することができる。そして、四枚の直交パネル２ｂをそれぞれ構築する正四角形状の間仕切り空間８のコーナーに相当する位置に配する。このとき、直角に屈曲した側を間仕切り空間８に向けて配設する。
【００３５】
そして、それぞれの直交パネル２ｂの間を展開パネル２ａで接続する。このとき直交パネル２ｂの襖材１０と展開パネル２ａの襖材１０を襖面１０ａが同一平面上に一致する位置に合わせ、前述した凹状接続部４及び固定部５を利用して両者の接続を行う。係る作業を一辺当たり二箇所、合計で七箇所を行う。さらに、パネル接続部３の接続された七箇所の下方位置、すなわち、襖材１０の下辺部１１の下辺側端部２１に凹状部分を上方に向けた襖材支持部６を同様に嵌合するように取付ける。ここで、展開パネル２ａの中の一つは、襖材１０に貫通把持孔１６が設けられ、当該貫通把持孔１６を有する襖材１０については、隣接する直交パネル２ｂの襖材１０と接続しないようにしている。なお、本実施形態の間仕切り１の場合、貫通把持孔１６を有する襖材１０は、ヒンジ部１２を回動軸として間仕切り１の外側方向に開くように設計されている。これにより、当該襖材１０が間仕切り空間８に入退室する際の扉部９として機能することになる。
【００３６】
その後、各コーナーに配された直交パネル２ｂの上辺部１３に長棒状の補強部７を取設することで、間仕切り１の構造安定性を高めることができる。これにより、襖材１０を利用した間仕切り１が完成する。
【００３７】
上記説明したように、軽量の襖材１０を利用し、専門的な技術や特殊な工具を必要とすることなく、簡易かつ短時間で間仕切り１を構築することができる。そのため、避難生活の開始直後であっても、すぐにプライバシーの確保ができるスペースを構築することがで、避難生活によって受けるストレスを軽減することができる。さらに、一対の襖材１０からなる襖材パネル２を折畳んだ状態で搬送及び保管することができるため、搬送コスト及び保管に必要なスペースを少なくすることができる。
【００３８】
さらに、襖材１０の軽量性、断熱性、及び通気性等の特性を生かすことにより、間仕切り空間８の環境を快適なものとすることができる。さらに、既存の襖材１０を加工することができ、間仕切り１を構築する製造コストを従前に比べて大幅に削減することができる。そのため、各地方自治体等において必要数量を十分に確保することができ、避難住民の各世帯に全て行き渡らせることが可能となる。加えて、襖材１０は十分な強度を有するものであり、複数回の使用にも耐えることができる。また、表面の和紙部分等を張り替えることによるリサイクルも可能である。さらに、廃棄する場合であってもそれほどコストを要することがない。
【００３９】
以上、本考案について好適な実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、本実施形態の間仕切り１として、合計八枚の襖材パネル２を使用し、正四角形状（正方形状）の間仕切り空間８を構築するものを示したが、これに限定されるものではなく、使用する襖材パネル２の数量を適宜変更するものであっても構わない。すなわち、各世帯毎の構成人数に応じて、区画するスペースの広狭を自由に変更することができる。さらに、間仕切り空間８の形状を正四角形状とするものを示したが、これに限定されるものではなく、三角形以上の任意の多角形状に襖材パネル２を組合わせることで構築することが可能である。
【００４１】
さらに、本実施形態の間仕切り１は、自然災害等の発生により体育館等で避難生活を送るために利用するものについて例示するものを示したが、これに限定されるものではなく、展示会場やイベントホール等で各企業毎のブースを構築する場合等、広い床面積を有するスペースを小さく区画する場合について利用することができる。
【符号の説明】
【００４２】
１  間仕切り（襖材を利用した間仕切り）
２  襖材パネル
２ａ  展開パネル（襖材パネル）
２ｂ  直交パネル（襖材パネル）
３  パネル接続部
４  凹状接続部
５  固定部
６  襖材支持部
７  補強部
８  間仕切り空間
９  扉部
１０  襖材
１０ａ  襖面
１０ｂ  縦辺部
１１  下辺部
１２  ヒンジ部
１２ａ  ヒンジ片
１３  上辺部
１４  上辺側端部
１５  固定孔
１６  貫通把持孔
１７  側板部
１７ａ  挿通孔
１８  上板部
１９  蝶ボルト（固定部）
１９ａ  ボルト軸（固定部）
１９ｂ  ボルト軸端（固定部）
１９ｃ  ボルト頭（固定部）
２０  蝶ナット
２１  下辺側端部
【図１】
0003160693.tif 000003
【図２】
0003160693.tif 000004
【図３】
0003160693.tif 000005
【図４】
0003160693.tif 000006
【図５】
0003160693.tif 000007
【図６】
0003160693.tif 000008
【図７】
0003160693.tif 000009